(57)【特許請求の範囲】
【請求項１】
放熱体と、放熱体の一端に取り付けられた口金と、ＬＥＤチップが実装され、放熱体の反口金側端面に固着したモジュール基板と、ＬＥＤチップに対向するように放熱体の端面に取り付けられ、ＬＥＤチップの発する光を周囲に拡散する光拡散部材と、光拡散部材を覆うように放熱体の端面に装着したグローブと、放熱体に内蔵され、ＬＥＤチップに電力を供給する点灯回路を備え、口金と点灯回路及び点灯回路とモジュール基板を電気的に接続したＬＥＤランプ、
及び該ＬＥＤランプを載置する載置具とから成る照明器具であって、
グローブを頭部と、頭部から連続する首部で形成し、
載置具に、首部を挿通したとき首部と頭部の接続部の近辺が当接する支持部を設け、
支持部に首部を挿通して当接させたとき頭部が支持部から起立するようにしたことを特徴とする照明器具。
【請求項２】
前記支持部が円形の開口を区画形成するリング型のフレームから成り、首部を開口に挿通したとき首部と頭部の接続部の近辺がリング型のフレームに当接するようにしたことを特徴とする請求項１に記載の照明器具。
【請求項３】
前記支持部が多角形の開口を区画形成する角型のフレームからなり、首部を開口に挿通したとき首部と頭部の接続部の近辺が角型のフレームに当接するようにしたことを特徴とする請求項１に記載の照明器具。
【請求項４】
前記支持部が上端面を開口に形成した筒部材から成り、首部を上端面開口に挿通したとき首部と頭部の接続部の近辺が上端面開口の周縁に当接するようにしたことを特徴とする請求項１に記載の照明器具。
【請求項５】
前記フレームから複数本の脚片を垂設したことを特徴とする請求項２又は３に記載の照明器具。
【請求項６】
前記フレームを壁面に略水平に固定するためのベース部材を備えたことを特徴とする請求項２又は３に記載の照明器具。
【請求項７】
前記フレームを吊り下げるための吊下げ部材を備えたことを特徴とする請求項２又は３に記載の照明器具。
【請求項８】
前記支持部が少なくとも３本の脚片から成り、３本の脚片の上端部で首部と頭部の接続部の近辺を三点支持するように３本の脚片を連結したことを特徴とする請求項１に記載の照明器具。
【発明の詳細な説明】
【技術分野】
【０００１】
本発明は、ＬＥＤチップを光源として内蔵するＬＥＤランプを用いた照明器具に関する。
【背景技術】
【０００２】
近時、消費電力の少ないＬＥＤチップを光源として用いるＬＥＤランプが市場に供されている。
一般に、この種のＬＥＤランプは熱伝導性に優れたアルミニウムなどの金属性放熱体と、放熱体の一端に取り付けた口金と、ＬＥＤチップを実装したモジュール基板と、半球状の頂部を有し、放透光性のガラス又はプラスチック材から成るグローブと、ＬＥＤチップに電力を供給する点灯回路とを備え、放熱体の反口金側端部にモジュール基板を固定するとともに、モジュール基板を覆うようにグローブを放熱体に取り付け、点灯回路を放熱体に内蔵し、点灯回路と口金及び点灯回路とモジュール基板を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
上記した従来のＬＥＤランプは専ら白熱電球の代用品として利用され、用途が限定されている。本願発明の発明者はＬＥＤランプの光源として用いられるＬＥＤチップの発熱量が低く、点灯時でも放熱体の温度がせいぜい数十度程度に上昇するだけであり、手でＬＥＤランプに触れることができるという特性に着目した。
また、ＬＥＤランプは、白熱電球のようにグローブの内部を真空にしたり、ガスを充填する必要がないため、グローブを手作りしたり、交換することが可能であるという特性に着目した。
【０００５】
本発明は、ＬＥＤチップを光源とするＬＥＤランプの特性を利用してインテリア等に好適な照明器具を提供することを目的とする。
【課題を解決するための手段】
【０００６】
請求項１に記載の発明は、放熱体と、放熱体の一端に取り付けられた口金と、ＬＥＤチップが実装され、放熱体の反口金側端面に固着したモジュール基板と、ＬＥＤチップに対向するように放熱体の端面に取り付けられ、ＬＥＤチップの発する光を周囲に拡散する光拡散部材と、光拡散部材を覆うように放熱体の端面に装着したグローブと、放熱体に内蔵され、ＬＥＤチップに電力を供給する点灯回路を備え、口金と点灯回路及び点灯回路とモジュール基板を電気的に接続したＬＥＤランプ、
及び該ＬＥＤランプを載置する載置具とから成る照明器具であって、
グローブを頭部と、頭部から連続する首部で形成し、
載置具に、首部を挿通したとき首部と頭部の接続部の近辺が当接する支持部を設け、
支持部に首部を挿通して当接させたとき頭部が支持部から起立するようにしたことを特徴とする。
【０００７】
請求項２に記載の発明は請求項１に記載の照明器具において、前記支持部が円形の開口を区画形成するリング型のフレームから成り、首部を開口に挿通したとき首部と頭部の接続部の近辺がリング型のフレームに当接するようにしたことを特徴とする。
【０００８】
請求項３に記載の発明は請求項１に記載の照明器具において、前記支持部が多角形の開口を区画形成する角型のフレームからなり、首部を開口に挿通したとき首部と頭部の接続部の近辺が角型のフレームに当接するようにしたことを特徴とする。
【０００９】
請求項４に記載の発明は請求項１に記載の照明器具において、前記支持部が上端面を開口に形成した筒部材から成り、首部を上端面開口に挿通したとき首部と頭部の接続部の近辺が上端面開口の周縁に当接するようにしたことを特徴とする。
【００１０】
請求項５に記載の発明は、請求項２又は３に記載の照明器具において、前記フレームから複数本の脚片を垂設したことを特徴とする。
【００１１】
請求項６に記載の発明は、請求項２又は３に記載の照明器具において、前記フレームを壁面に略水平に固定するためのベース部材を備えたことを特徴とする。
【００１２】
請求項７に記載の発明は請求項２又は３に記載の照明器具において、前記フレームを吊り下げるための吊下げ部材を備えたことを特徴とする。
【００１３】
請求項８に記載の発明は請求項１に記載の照明器具において、前記支持部が少なくとも３本の脚片から成り、３本の脚片の上端部で首部と頭部の接続部の近辺を三点支持するように３本の脚片を連結したことを特徴とする。
【発明の効果】
【００１４】
請求項１に記載の発明に係る照明器具を使用するときは、床や壁面に設置した載置具の支持部にグローブの首部を挿通し、首部と頭部の接続部の近辺を支持部に当接させ、頭部を支持部から起立させる。口金をソケットに接続して点灯回路に通電するとＬＥＤチップが発光し、その光が光拡散部材によってその周囲に拡散される。拡散した光はグローブを通過してグローブの周囲を照明する。
本発明に係る照明器具は、載置具の支持部でＬＥＤランプのグローブを起立保持するので、重量のあるグローブを用いることができる。
ＬＥＤランプの発熱量が低いので、ＬＥＤランプを載置具に載置するとき、ＬＥＤランプを点灯したまま、グローブや放熱体を手で掴んでＬＥＤランプの姿勢を調整したり、照明器具の位置を変えたりでき、照明器具の取り扱いが容易である。
ＬＥＤランプのグローブは白熱電球のグローブのようにグローブ内部を真空にする必要がなく、また、グローブ内部にガスを充填する必要がないので、手作りした、様々なデザインのグローブを使用でき、グローブのデザインの自由度が大きいので、照明器具に工芸品や装飾品として高い付加価値を与えることが可能となる。
【００１５】
請求項２に記載の発明によれば、載置具の支持部をリング型のフレームで構成したので、グローブを安定して載置できる。また、載置具の構造が簡単なため低コストで製造できる。
【００１６】
請求項３に記載の発明によれば、載置具の支持部を角型のフレームで構成したので、照明器具のデザインの自由度が増し、また構造が簡単なため低コストで製造できる。
【００１７】
請求項４に記載の発明によれば、載置具の支持部を筒部材で構成したので、グローブを安定して載置でき、また、デザインの自由度が増す。
【００１８】
請求項５に記載の発明によれば、支持部を構成するフレームに脚片を垂設したので、照明器具を庭や床、棚等に設置できる。
【００１９】
請求項６に記載の発明によれば、支持部を構成するフレームを壁面に略水平に固定するベース部材を備えたので、照明器具を壁面に設置できる。
【００２０】
請求項７に記載の発明によれば、支持部を構成するフレームを吊り下げる吊下げ部材を備えたので、照明器具を天井や梁等から吊り下げることができる。
【００２１】
請求項８に記載の発明によれば、３本の脚片の上端部でグローブの接続部の近辺を三点支持するので、照明器具のデザインに変化を与えることができる。
【図面の簡単な説明】
【００２２】
【図１】本発明の第１実施例に係る照明器具を示す分解説明図である。
【図２】本発明の第１実施例に係る照明器具の使用方法を示す説明図である。
【図３】本発明の第２実施例に係る照明器具を示す説明図である。
【図４】本発明の第３実施例に係る照明器具を示す説明図である。
【図５】本発明の第４実施例に係る証明器具を示す説明図である。
【図６】本発明の第５実施例に係る照明器具を示す説明図である。
【図７】本発明の第６実施例に係る照明器具を示す説明図である。
【図８】本発明の第７実施例に係る照明器具を示す説明図である。
【図９】本発明の第８実施例に係る照明器具を示す説明図である。
【図１０】本発明の第９実施例に係る証明器具を示す説明図である。
【実施例１】
【００２３】
以下に本発明を図面に基づき説明するに、図１及び図２には本発明の第１実施例に係る照明器具１０が示されている。当該照明器具１０はＬＥＤランプ２０と、ＬＥＤランプ２０の載置具３０を備えている。
【００２４】
ＬＥＤランプ２０は熱伝導性と放熱性に優れたアルミニウム等の金属材料から成る放熱体２１と、放熱体２１の一端に取り付けられた、国際規格に則った形状、寸法を有する口金２２及び放熱体２１の他端側に取り付けた透明又は半透明のガラスブロック製グローブ２３を備えている。
【００２５】
放熱体２１は逆円錐台形の外観を有し、外周部には表面積を増加して放熱効果を高めるため多数のフィン２１ａが形成されている。放熱体２１の反口金側端面２１ｂには、ＬＥＤチップ２４を実装したモジュール基板２５が固定されている。放熱体２１の内部には、ＬＥＤチップ２４に電力を供給する点灯回路２６が内蔵され、点灯回路２６とモジュール基板２５及び点灯回路２６と口金２２がリード線２７で接続されている。
【００２６】
放熱体２１の端面２１ｂに固定したモジュール基板２５には柱状の光拡散部材２８が立設して固定されている。この光拡散部材２８は先端部に反射部２８ａが形成されている。反射部２８ａは複数の反射面から成り、逆多角錐の形状に形成されている。光拡散部材２８の基端部には凹部が形成され、この凹部をＬＥＤチップ２４に被せるようにして光拡散部材２８がモジュール基板２５に立設して固定されている。凹部に対向配置したＬＥＤチップ２４が発する光は凹部から光拡散部材２８中に入射し、反射部２８ａの反射面で反射されて、周囲に拡散する。
【００２７】
ガラスブロック製のグローブ２３は手作り製品で、扁平な頭部２３ａと、頭部２３ａから先細りに延びる首部２３ｂから成り、内部には凹形の空洞部２３ｃが形成されるとともに、多数の気泡２３ｄが形成されている。この空洞部２３ｃは首部２３ｂの下端面に開口している。首部２３ｂの下端面にはリング状の凸条２３ｅが形成されている。一方、放熱体２１の端面２１ｂにはリング溝２１ｃが形成されている。グローブ２３はその空洞部２３ｃを光拡散部材２８に被せるとともに、放熱体２１のリング溝２１ｃにグローブ２３の凸条２３ｅを嵌合し、接着剤で接着して放熱体２１の端面２１ｂに固着されている。
【００２８】
載置具３０は支持部３１と３本の脚片３２から成り、支持部３１が円形の開口３１ａを区画形成するリング型のフレームで構成されている。３本の脚片３２は等角度の間隔で支持部３１に垂設されている。
【００２９】
第１実施例に係る照明器具１０を構成するＬＥＤランプ２０と載置具３０の構造は以上の通りであって、この照明器具１０を使用するときは、図２に示すように、載置具３０の支持部３１の円形開口３１ａにグローブ２３の首部２３ｂを挿通し、首部２３ｂと頭部２３ａの接続部２３ｆの近辺を支持部３１に当接させ、頭部２３ａを支持部３１から起立させて床や壁面に設置する。そして、口金２２をソケット３３に接続し、プラグ３４を電源コンセントに接続して点灯回路２６に通電すると、ＬＥＤチップ２４が発光し、その光が光拡散部材２８によってその周囲に拡散される。拡散した光はグローブ２３を通過してグローブ２３の周囲を照明する。
【００３０】
本実施例に係る照明器具１０は、載置具３０の支持部３１でＬＥＤランプ２０のグローブ２３を起立保持するので、重量のあるガラスブロック製のグローブ２３を用いることができる。
【００３１】
元来、ＬＥＤランプ２０の発熱量は低いので、ＬＥＤランプ２０を載置具３０に載置するとき、ＬＥＤランプ２０を点灯したまま、グローブ２３や放熱体２１を手で掴んでＬＥＤランプ２０の姿勢を調整したり、照明器具１０の位置を変えたりできるので、照明器具の取り扱いが容易である。
【００３２】
ＬＥＤランプ２０のグローブ２３は白熱電球のグローブのようにグローブ内部を真空にする必要がなく、また、グローブ内部にガスを充填する必要がないので、手作りした、様々なデザインのグローブ２３を使用でき、グローブ２３のデザインの自由度が大きいので、照明器具１０に工芸品や装飾品として高い付加価値を与えることが可能となる。
【００３３】
載置具３０の支持部３１をリング型のフレームで構成したので、グローブ２３を安定して載置できる。また、載置具３０の構造が簡単なため低コストで製造できる。
【実施例２】
【００３４】
本発明の第２実施例に係る照明器具１１を図３に示す。当該照明器具１１の載置具４０は、リング状のフレームから成る支持部４１と、支持部４１を壁面に水平に固定するためのベースプレート４２を備え、支持部４１とベースプレート４２がバー４３で連結されている。ベースプレート４２にはネジ４４を挿通する貫通穴４２ａが形成されている。
なお、第２実施例に係る照明器具１１の他の構成は第１実施例に係る照明器具１０と同じであるので、同一の構成要素に同一の符号を付して説明を省略する。
【００３５】
第２実施例に係る照明器具１１を使用するときは、ベースプレート４２の貫通穴４２ａにネジ４４を挿通してベースプレート４２を壁面に固定し、支持部４１の円形開口４１ａにグローブ２３の首部２３ｂを挿通し、首部２３ｂと頭部２３ａの接続部２３ｆの近辺を支持部４１に当接させ、頭部２３ａを支持部４１から起立させる。
【実施例３】
【００３６】
本発明の第３実施例に係る照明器具１２を図４に示す。当該照明器具１２の載置具５０は、リング形状の一部を切除したＣ字形のフレームから成る支持部５１と、支持部５１を壁面に水平に固定するためのベースプレート５２を備え、支持部５１とベースプレート５２がバー５３で連結されている。ベースプレート５２にはネジを挿通する貫通穴５２ａが形成されている。
なお、第３実施例に係る照明器具１２の他の構成は第１実施例に係る照明器具１０と同じであるので、同一の構成要素に同一の符号を付して説明を省略する。
【００３７】
第３実施例に係る照明器具１２を使用するときは、ベースプレート５２の貫通穴５２ａにネジを挿通してベースプレート５２を壁面に固定し、支持部５１の円形開口５１ａにグローブ２３の首部２３ｂを挿通し、首部２３ｂと頭部２３ａの接続部２３ｆの近辺を支持部５１に当接させ、頭部２３ａを支持部５１から起立させる。
第３実施例に係る照明器具１２の載置具５０の支持部５１はＣ字形に形成されているので、上から開口５１ａに首部２３ｂを挿通できるだけでなく、切除部を通して横から開口５１ａに首部２３ｂを挿通することができる。
【実施例４】
【００３８】
本発明の第４実施例に係る照明器具１３を図５に示す。当該照明器具１３の載置具６０は、リング状のフレームから成る支持部６１と、支持部６１を天井から吊り下げるための３本のチェーン６２を備えている。
なお、第４実施例に係る照明器具１３の他の構成は第１実施例に係る照明器具１０と同じであるので、同一の構成要素に同一の符号を付して説明を省略する。
【００３９】
第４実施例に係る照明器具１３を使用するときは、支持部６１をチェーン６２で天井から吊り下げ、支持部６１の円形開口６１ａにグローブ２３の首部２３ｂを挿通し、首部２３ｂと頭部２３ａの接続部２３ｆの近辺を支持部６１に当接させ、頭部２３ａを支持部６１から起立させる。
【実施例５】
【００４０】
本発明の第５実施例に係る照明器具１４を図６に示す。当該照明器具１４の載置具７０は、円筒形の支持部７１及び支持部７１の下端部に一体に形成された３本の脚片７２で構成されている。
なお、第５実施例に係る照明器具１４の他の構成は第１実施例に係る照明器具１０と同じであるので、同一の構成要素に同一の符号を付して説明を省略する。
【００４１】
第５実施例に係る照明器具１４を使用するときは、載置具７０を床や地面に置き、円筒形の支持部７１の円形開口７１ａにグローブ２３の首部２３ｂを挿通し、首部２３ｂと頭部２３ａの接続部２３ｆの近辺を支持部７１に当接させ、頭部２３ａを支持部７１から起立させる。
第５実施例に係る照明器具１４によれば、支持部７１を円筒形に形成したので、重量のあるグローブ２３を安定して載置できる。また、放熱体２１やソケット３３が支持部７１と脚片７２によって部分的に隠されるので、照明器具１４の見栄えが良くなる。
【実施例６】
【００４２】
本発明の第６実施例に係る照明器具１５を図７に示す。当該照明器具１５の載置具８０は、台形円筒状の支持部８１及び支持部８１の下端部に一体に形成された４本の脚片８２で構成されている。
なお、第６実施例に係る照明器具１５の他の構成は第１実施例に係る照明器具１０と同じであるので、同一の構成要素に同一の符号を付して説明を省略する。
【００４３】
第６実施例に係る照明器具１５を使用するときは、載置具８０を床や地面に置き、支持部８１の円形開口８１ａにグローブ２３の首部２３ｂを挿通し、首部２３ｂと頭部２３ａの接続部２３ｆの近辺を支持部８１に当接させ、頭部２３ａを支持部８１から起立させる。
第６実施例に係る照明器具１５によれば、支持部８１を台形円筒状に形成したので、重量のあるグローブ２３を安定して起立保持できる。
【実施例７】
【００４４】
本発明の第７実施例に係る照明器具１６を図８に示す。当該照明器具１６の載置具９０は、四角形の筒形支持部９１及び支持部９１の下端部に一体に形成された４本の脚片９２で構成されている。
なお、第７実施例に係る照明器具１６の他の構成は第１実施例に係る照明器具１０と同じであるので、同一の構成要素に同一の符号を付して説明を省略する。
【００４５】
第７実施例に係る照明器具１６を使用するときは、支持部９１の四角形の開口９１ａにグローブ２３の首部２３ｂを挿通し、首部２３ｂと頭部２３ａの接続部２３ｆの近辺を支持部９１に当接させ、頭部２３ａを支持部９１から起立させる。
第７実施例に係る照明器具１６の載置具９０は、支持部９１を四角形に形成したので、照明器具１６のデザインに変化を与えることができる。
【実施例８】
【００４６】
本発明の第８実施例に係る照明器具１７を図９に示す。当該照明器具１７の載置具１００は、３本の脚片１０１と、３本の脚片１０１を中間部で連結するリング１０２で構成され、３本の脚片１０１の上端部によって支持部１０１ａが形成されている。
なお、第８実施例に係る照明器具１７の他の構成は第１実施例に係る照明器具１０と同じであるので、同一の構成要素に同一の符号を付して説明を省略する。
【００４７】
第８実施例に係る照明器具を使用するときは、３本の脚片１０１の支持部１０１ａでグローブ２３の頭部２３ａと首部２３ｂの接続部２３ｆの近辺を三点支持するようにＬＥＤランプ２０を載置具１００に載置し、頭部２３ａを支持部１０１ａから起立させる。
第８実施例に係る照明器具１７の載置具１００は、支持部１０１ａを３本の脚片１０１の上端部で構成したので、照明器具１７のデザインに変化を与えることができる。
【実施例９】
【００４８】
本発明の第９実施例に係る照明器具１８を図１０に示す。当該照明器具１８の載置具１１０は、支持部１１１と脚片１１２を備え、支持部１１１は四角形の開口１１１ａを区画形成するフレームで構成されている。この四角形の支持部１１１は４つの角部から内側へ延びる直線フレーム１１１ｂを備えている。四角形の支持部１１１の各角部に脚片１１２が垂設されている。
なお、第９実施例に係る照明器具１８の他の構成は第１実施例に係る照明器具１０と同じであるので、同一の構成要素に同一の符号を付して説明を省略する。
【００４９】
第９実施例に係る照明器具１８を使用するときは、４本の直線フレーム１１１ｂの先端部でグローブ２３の頭部２３ａと首部２３ｂの接続部２３ｆの近辺を４点支持するようにＬＥＤランプ２０を載置具１１０に載置し、頭部２３ａを支持部１１１から起立させる。
第９実施例に係る照明器具１８の載置具１１０は、支持部１１１の４本の直線フレーム１１１ｂの先端部でグローブ２３を支持する構成としたので、照明器具１８のデザインに変化を与えることができる。
【００５０】
上記実施例１〜９ではガラスブロック製のグローブ２３に気泡２３ｄを形成したが、グローブ２３の表面をサンドブラスト加工によって粗面に形成したり、表面に多数の凹凸や溝を刻設したり、着色したり、図柄を描いたり、グローブ２３の頭部２３ａを部分的に切除するなどして、より装飾効果を高めることもできる。
【符号の説明】
【００５１】
１０，１１，１２，１３，１４，１５，１６，１７，１８…照明器具
２０…ＬＥＤランプ
２１…放熱体
２２…口金
２３…グローブ
２３ａ…頭部
２３ｂ…首部
２３ｆ…接続部
２４…ＬＥＤチップ
２５…モジュール基板
２６…点灯回路
２８…光拡散部材
３０，４０，５０，６０，７０，８０，９０，１００，１１０…載置具
３１，４１，５１，６１，７１，８１，９１，１０１ａ，１１１…支持部
３１ａ，４１ａ，５１ａ，６１ａ，７１ａ，８１ａ，９１ａ，１１１ａ…開口
３２，７２，８２，９２，１０１，１１２…脚片
４２，５２…ベースプレート
６２…チェーン
【図１】
0005526350.tif 000002
【図２】
0005526350.tif 000003
【図３】
0005526350.tif 000004
【図４】
0005526350.tif 000005
【図５】
0005526350.tif 000006
【図６】
0005526350.tif 000007
【図７】
0005526350.tif 000008
【図８】
0005526350.tif 000009
【図９】
0005526350.tif 000010
【図１０】
0005526350.tif 000011